(57)【要約】【課題】  電子メールなどの情報を表示するタイミングを制御することにより、多数の情報を受信して、ユーザにとって見やすく表示する。【解決手段】  メールプログラムは、最後に表示済みメール（優先メール）を受信してから、遅延時間が経過し、かつ、全ての表示済みメール（優先メール）Ｍが開封された後に、非優先メールＤ（ｉ）を、１つずつ、順次、受信表示ウインドウ３０内に表示する。あるいは、メールプログラムは、最後に表示済みメール（優先メール）を受信してから、遅延時間が経過し、かつ、全ての表示済みメール（優先メール）Ｍが開封された後に、全ての非優先メールＤを、一斉に受信表示ウインドウ３０内に表示する。【選択図】図９
2005228193.tif 000002
【特許請求の範囲】
【請求項１】
１つ以上の属性を有する情報を受信する情報受信手段と、
前記受信された情報の属性と、前記情報の受信を表示するタイミングとを対応付ける表示タイミング情報に基づいて、前記情報の受信を、前記受信された情報の属性に対応するタイミングで表示する情報受信表示手段と
を有する情報受信装置。
【請求項２】
前記受信される情報は、発信元アドレス、送信先アドレス、同報先アドレス、優先度およびタイトルまたはこれらの内の任意の１つ以上を、前記属性として有するメールであって、
前記表示タイミング情報は、前記受信されたメールに含まれる前記発信元アドレス、前記送信先アドレス、前記同報先アドレス、前記優先度および前記タイトルから推測されるメールの内容またはこれらの１つ以上とを、前記メールの受信を表示するタイミングとを対応付け、
前記情報受信手段は、前記メールを受信し、
前記情報表示手段は、前記メールの受信を、前記受信されたメールに含まれる前記発信元アドレス、前記送信先アドレス、前記同報先アドレス、前記優先度および前記タイトルから推測されるメールの内容またはこれらの１つ以上と対応付けられたタイミングで表示する
請求項１に記載の情報受信装置。
【請求項３】
表示タイミング情報は、前記情報の属性に含まれる１つ以上の第１の属性と、前記情報の受信を表示する第１のタイミングとを対応付け、
前記情報受信表示手段は、前記第１の属性を有する情報の受信を前記第１のタイミングで表示した後、一定時間が経過した第２のタイミングで、前記前記第１の属性を有する情報以外の情報の受信を表示する
請求項１に記載の情報受信装置。
【請求項４】
前記受信が表示された情報に対する選択に応じて、前記選択された情報の内容を表示する情報内容表示手段
をさらに有し、
表示タイミング情報は、前記情報の属性に含まれる１つ以上の第１の属性と、前記情報の受信を表示する第１のタイミングとを対応付け、
前記情報受信表示手段は、前記第１の属性を有する情報の受信を前記第１のタイミングで表示し、前記受信が表示された全ての情報の内容が表示された後の第３のタイミングで、前記前記第１の属性を有する情報以外の情報の受信を表示する
請求項１に記載の情報受信装置。
【請求項５】
１つ以上の属性を有する情報を受信し、
前記受信された情報の属性と、前記情報の受信を表示するタイミングとを対応付ける表示タイミング情報に基づいて、前記情報の受信を、前記受信された情報の属性に対応するタイミングで表示する
情報受信方法。
【請求項６】
１つ以上の属性を有する情報を受信する情報受信ステップと、
前記受信された情報の属性と、前記情報の受信を表示するタイミングとを対応付ける表示タイミング情報に基づいて、前記情報の受信を、前記受信された情報の属性に対応するタイミングで表示する情報受信表示ステップと
をコンピュータに実行させるプログラム。
【請求項７】
前記受信される情報は、発信元アドレス、宛先アドレス、同報先アドレス、優先度およびタイトルまたはこれらの内の任意の１つ以上を、前記属性として有するメールであって、
前記表示タイミング情報は、前記受信されたメールに含まれる前記発信元アドレス、前記宛先アドレス、前記同報先アドレス、前記優先度および前記タイトルから推測されるメールの内容またはこれらの１つ以上とを、前記メールの受信を表示するタイミングとを対応付け、
前記情報受信ステップは、前記メールを受信し、
前記情報表示ステップは、前記メールの受信を、前記受信されたメールに含まれる前記発信元アドレス、前記優先度および前記タイトルから推測されるメールの内容またはこれらの１つ以上と対応付けられたタイミングで表示する
請求項６に記載のプログラム。
【請求項８】
表示タイミング情報は、前記情報の属性に含まれる１つ以上の第１の属性と、前記情報の受信を表示する第１のタイミングとを対応付け、
前記情報受信表示ステップは、前記第１の属性を有する情報の受信を前記第１のタイミングで表示した後、一定時間が経過した第２のタイミングで、前記前記第１の属性を有する情報以外の情報の受信を表示する
請求項６に記載のプログラム。
【請求項９】
前記受信が表示された情報に対する選択に応じて、前記選択された情報の内容を表示する情報内容表示ステップ
をさらにコンピュータに実行させ、
表示タイミング情報は、前記情報の属性に含まれる１つ以上の第１の属性と、前記情報の受信を表示する第１のタイミングとを対応付け、
前記情報受信表示ステップは、前記第１の属性を有する情報の受信を前記第１のタイミングで表示し、前記受信が表示された全ての情報の内容が表示された後の第３のタイミングで、前記前記第１の属性を有する情報以外の情報の受信を表示する
請求項６に記載のプログラム。
【発明の詳細な説明】
【技術分野】
【０００１】
本発明は、電子メールなどの情報を受信して表示する情報受信装置およびその方法に関する。
【背景技術】
【０００２】
例えば、特許文献１，２は、電子メールの表示方法を開示する。
コンピュータの他、携帯電話を用いた電子メールによる情報の伝達が一般化し、１人が受信する電子メールの数も多くなっている。
これまで、受信された電子メールを表示する順番は、例えば、送信側で電子メールに付される重要度・緊急度などの情報に基づいて決められたり、受信側で設定される規則に従って決められたりしてきた。
【０００３】
しかしながら、例えば、送信側が、全ての電子メールに最も高い重要度・緊急度を付したようなときには、送信側が電子メールに付した情報に基づいて表示順序を決定する方法は、意味をなさなくなってしまう。、
また、受信側で表示順序の規則を設定した場合であっても、規則の設定が必ずしも適切でないことがある。
あるいは、受信側で、送信元アドレスなどに従って、電子メールの保存先や表示位置を変更するように規則を設定すると、ユーザに、複数の保存先フォルダを開いたり、視線の切り替えを頻繁に行うなどの手間が生じてしまうことがある。
【特許文献１】特開平８−２８６９８８号公報
【特許文献２】特開平８−１９４６５４号公報
【発明の開示】
【発明が解決しようとする課題】
【０００４】
本発明は、上述した背景からなされたものであり、電子メールなどの情報を表示するタイミングを制御することにより、多数の情報を受信して、ユーザにとって見やすく表示することができるようにした情報受信装置およびその方法を提供することを目的とする。
【課題を解決するための手段】
【０００５】
上述した目的を達成するために、本発明にかかる情報受信装置は、１つ以上の属性を有する情報を受信する情報受信手段と、前記受信された情報の属性と、前記情報の受信を表示するタイミングとを対応付ける表示タイミング情報に基づいて、前記情報の受信を、前記受信された情報の属性に対応するタイミングで表示する情報受信表示手段とを有する。
【０００６】
好適には、前記受信される情報は、発信元アドレス、前記宛先アドレス、前記同報先アドレス、優先度およびタイトルまたはこれらの内の任意の１つ以上を、前記属性として有するメールであって、前記表示タイミング情報は、前記受信されたメールに含まれる前記発信元アドレス、前記優先度および前記タイトルから推測されるメールの内容またはこれらの１つ以上とを、前記メールの受信を表示するタイミングとを対応付け、前記情報受信手段は、前記メールを受信し、前記情報表示手段は、前記メールの受信を、前記受信されたメールに含まれる前記発信元アドレス、前記優先度および前記タイトルから推測されるメールの内容またはこれらの１つ以上と対応付けられたタイミングで表示する。
【０００７】
好適には、表示タイミング情報は、前記情報の属性に含まれる１つ以上の第１の属性と、前記情報の受信を表示する第１のタイミングとを対応付け、前記情報受信表示手段は、前記第１の属性を有する情報の受信を前記第１のタイミングで表示した後、一定時間が経過した第２のタイミングで、前記前記第１の属性を有する情報以外の情報の受信を表示する。
【０００８】
好適には、前記受信が表示された情報に対する選択に応じて、前記選択された情報の内容を表示する情報内容表示手段をさらに有し、表示タイミング情報は、前記情報の属性に含まれる１つ以上の第１の属性と、前記情報の受信を表示する第１のタイミングとを対応付け、前記情報受信表示手段は、前記第１の属性を有する情報の受信を前記第１のタイミングで表示し、前記受信が表示された全ての情報の内容が表示された後の第３のタイミングで、前記前記第１の属性を有する情報以外の情報の受信を表示する。
【０００９】
また、本発明にかかる情報受信方法は、１つ以上の属性を有する情報を受信し、前記受信された情報の属性と、前記情報の受信を表示するタイミングとを対応付ける表示タイミング情報に基づいて、前記情報の受信を、前記受信された情報の属性に対応するタイミングで表示する。
【００１０】
また、本発明にかかるプログラムは、１つ以上の属性を有する情報を受信する情報受信ステップと、前記受信された情報の属性と、前記情報の受信を表示するタイミングとを対応付ける表示タイミング情報に基づいて、前記情報の受信を、前記受信された情報の属性に対応するタイミングで表示する情報受信表示ステップとをコンピュータに実行させる。
【発明の効果】
【００１１】
本発明によれば、電子メールなどの情報を表示するタイミングを制御することにより、多数の情報を受信して、ユーザにとって見やすく表示することができる。
【発明を実施するための最良の形態】
【００１２】
以下、本発明の実施形態を説明する。
図１は、本発明にかかる情報受信方法が適応されるネットワークシステム１の構成を例示する図である。
図１に示すように、ネットワークシステム１は、それぞれ１つ以上のＬＡＮシステム１０４、メールサーバ１０２−２およびコンピュータ（ＰＣ）１００−ｍ＋１〜１００−ｎ（ｍ，ｎは整数；１≦ｍ≦ｎ）が、インターネットあるいは広域ネットワーク（ＷＡＮ）などのネットワーク１０を介して通信可能に接続されて構成される。
ＬＡＮシステム１０４は、ＰＣ１００−１〜１００−ｍおよびメールサーバ１０２−１が、ＬＡＮ１０６を介して接続されて構成される。
ネットワークシステム１において、ＰＣ１００は、図３などを参照して後述するメールプログラム２を実行し、他のノードとの間で電子メールによる通信を行う。
メールサーバ１０２は、ネットワークシステム１またはＬＡＮシステム１０４における電子メールによる通信をサポートする。
【００１３】
なお、ネットワークシステム１においては、ＰＣ１００−１〜１００−ｎの間で、様々な情報通信が行われ得るが、以下、ネットワークシステム１における情報通信として、ＰＣ１００−１〜１００−ｎの間で、メールサーバ１０２−１，１０２−２を介して、電子メールによる通信が行われる場合を具体例とする。
また、本発明にかかる情報受信方法は、ＰＣ１００における処理の他、メールサーバ１０２における処理によっても実現されうるが、以下、ＰＣ１００におけるメールプログラム２による処理によって実現される場合を具体例とする。
【００１４】
また、以下、ＰＣ１００−１〜１００−ｎなど、複数あり得る構成要素のいずれかを特定せずに記すときには、単にＰＣ１００とも記す。
また、ＰＣ１００およびメールサーバ１０２など、ネットワークシステム１において通信を行う装置を、単にノードとも記す。
【００１５】
図２は、図１に示したＰＣ１００およびメールサーバ１０２のハードウェア構成を例示する図である。
図２に示すように、ネットワーク１０およびメールサーバ１０２は、ＣＰＵ１２２、メモリ１２４およびこれらの周辺回路などを含む本体１２０、表示装置、キーボードおよびマウスなどを含む表示・入力装置１２６、ネットワーク１０またはＬＡＮ１０６との間の通信を行う通信装置１３０、および、ＣＤ装置およびＨＤＤ装置などを含む記録装置１３２から構成される。
つまり、ＰＣ１００およびメールサーバ１０２それぞれは、他のノードと通信可能なコンピュータとしての構成を含む。
【００１６】
図３は、図１，図２に示したＰＣ１００において実行され、本発明にかかる情報受信方法を実現するメールプログラム２の構成を示す図である。
図３に示すように、メールプログラム２は、ユーザインターフェース（ＵＩ）部２００、メール作成部２０２、メール送受信部２０４、メール管理部２０６、メールデータベース（メールＤＢ）２０８、表示制御部２１０、条件ＤＢ２１２、条件設定部２１４および開封処理部２１６から構成される。
【００１７】
メールプログラム２は、例えば、記録媒体１３４（図２）を介してメールサーバ１０２に供給され、メモリ１２４にロードされて実行される。
メールプログラム２は、これらの構成部分により、本発明にかかる情報受信方法に従って、他のノードから電子メールを受信し、表示する。
また、メールプログラム２は、ユーザの操作を受け入れて、電子メールを作成し、他のノードに送信する。
【００１８】
メールプログラム２において、ＵＩ部２００は、表示・入力装置１２６（図２）の表示装置に対して操作用の画像（ＧＵＩ画像）を表示し、表示したＧＵＩ画像に対するマウスなどを用いたユーザの操作を受け入れる。
また、ＵＩ部２００は、受け入れたユーザの操作に基づいて、メールプログラム２の各構成部分の動作を制御する。
また、ＵＩ部２００は、表示制御部２１０および開封処理部２１６に従って、メールプログラム２が受信した電子メール、および、開封された電子メールの内容を、表示・入力装置１２６の表示装置に表示する。
【００１９】
図４は、図３に示したメールプログラム２が、表示・入力装置１２６に電子メールを表示する態様を例示する第１の図である。
図４に示すように、メールプログラム２は、表示・入力装置１２６に、受信表示ウインドウ３０を表示し、電子メールを受信すると、その電子メール（受信メール）を示す情報（表示済みメール）を、受信表示ウインドウ３０の中に、例えば下線を付した太字で表示し、その電子メール（受信メール）の受信を表示する。
【００２０】
また、メールプログラム２は、受信メールの表示に対して、表示・入力装置１２６のマウスによるクリックなどのユーザの選択操作があったときに、選択された受信メールの内容を、内容表示ウインドウ３２に表示する。
電子メール（受信メール）には、例えば、その電子メールの重要度が高いか低いかを示すデータ、送信元の電子メールアドレス、宛先の電子メールアドレス（送信先アドレス）、同報先アドレス、電子メールのタイトルおよび本文（内容）が含まれる。
【００２１】
メール作成部２０２（図３）は、ユーザの操作に従って、他のノードに対して送信される電子メール（送信メール）を作成し、メール管理部２０６に対して出力する。
メール送受信部２０４は、メール管理部２０６から入力される送信メールを、他のノードに対して送信する。
また、メール送受信部２０４は、他のノードからの電子メール（受信メール）を受信し、メール管理部２０６に対して出力する。
【００２２】
メール管理部２０６は、メール作成部２０２から入力された送信メール、および、メール送受信部２０４から入力された受信メールを、メールＤＢ２０８に記憶させ、記憶させた送信メールおよび受信メール管理する。
また、メール管理部２０６は、ユーザの送信操作に従って、送信メールをメール送受信部２０４に対して出力する。
また、メール管理部２０６は、要求に応じて、メールＤＢ２０８に記憶された受信メールを、表示制御部２１０または開封処理部２１６に対して出力する。
【００２３】
図５は、図３に示した条件設定部２１４が、表示・入力装置１２６（図２）に表示する条件設定画像を例示する図である。
条件設定部２１４は、図５に例示するような条件設定画像を、表示・入力装置１２６に表示し、この画像に対して設定される受信メールを表示する条件を受け、設定された条件を、条件ＤＢ２１２に記憶させ、管理する。
また、条件設定部２１４は、条件ＤＢ２１２に記憶させた条件を、表示制御部２１０に対して出力する。
【００２４】
条件設定部２１４が受け入れる電子メールの表示条件としては、例えば、
（１）その受信を、優先的に表示させるべき受信メール（優先メール）に含まれるべき送信元アドレス、
（２）その受信を、優先メールに含まれるべき優先度（優先度＝高／低，重要，緊急度大，至急，URGENT，IMPORTANTなど）、
（３）その受信を、優先メールに含まれるタイトルなどから推測される内容（商品企画，業務改善など、ユーザが望む内容）、
（４）その受信を、優先メールに含まれる送信元アドレス、優先度および推測される内容の組み合わせ（（１）〜（３）単独に比べ、さらに精度よく優先メールを絞り込むことができる）、
（５）優先メールを表示するタイミングと、これ以外の受信メール（非優先メール）を表示するタイミングとの時間差（遅延時間；例えば数分〜数十分）、および、優先メール以外を表示する時刻、
（６）優先メールと、非優先メールとを表示する態様：
［（６−１）非優先メールそれぞれを、最後に優先メールを受信してから、設定された遅延時間が経過し、かつ、優先メールの全てが開封された後に、順次、表示するか、
（６−２）一定の条件（最後に優先メールを受信してから、設定された遅延時間が経過し、かつ、優先メールの全てが開封された後など）が満たされたときに、非優先メールの全てを、一斉に表示するか］
（７）条件のいずれかに当てはまったときに表示するか、あるいは、条件の全てに当てはまったときに表示するかの指定
などを挙げることができる。
【００２５】
表示制御部２１０は、メール管理部２０６に対して受信メールの情報（図４）を要求し、条件設定部２１４から入力される条件に従って、表示・入力装置１２６に表示する。
なお、表示制御部２１０による受信メールの表示処理の詳細は、図６などを参照して後述する。
開封処理部２１６は、ユーザにより選択された受信メールを、図４に例示したように開封し、その内容を表示する。
【００２６】
以下、図３に示したメールプログラム２による電子メールの受信およびその表示のための処理を説明する。
なお、以下の各フローチャートに示す処理は、各処理を開始させるイベントの発生したときに起動され、あるいは、周期的に起動される。
【００２７】
図６は、メールプログラム２（図３）によるメール受信処理（Ｓ１０）を示すフローチャートである。
図６に示すように、ステップ１００（Ｓ１００）において、メール送受信部２０４は、他のノードから電子メール（受信メール）を受けたか否かを判断する。
メールプログラム２は、電子メールを受信したときにはＳ１０２の処理に進み、これ以外のときには処理を終了する。
【００２８】
ステップ１０２（Ｓ１０２）において、メール送受信部２０４は、他のノードからの受信メールを受け入れ、メール管理部２０６に対して出力する。
メール管理部２０６は、メール送受信部２０４が受信した受信メールをメールＤＢ２０８に記憶し、管理する。
ステップ１０４（Ｓ１０４）において、表示制御部２１０は、条件ＤＢ２１２から、設定された条件を読み出す。
また、表示制御部２１０は、メール管理部２０６から、新たな受信メールの情報を読み出す。
【００２９】
ステップ１０６（Ｓ１０６）において、表示制御部２１０は、読み出した条件に基づいて、新たな受信メールの情報（送信元アドレス、優先度、推測される内容など）が、優先メールとされるべき条件に合っているか否かを判断する。
メールプログラム２は、新たな受信メールの情報が、優先メールとされるべき条件に合っているときにはＳ１０８の処理に進み、これ以外のときにはＳ１１２の処理に進む。
【００３０】
ステップ１０８（Ｓ１０８）において、表示制御部２１０は、新たな電子メール（受信メール）の受信を、図４に例示したように、受信表示ウインドウ３０内に表示する。
ステップ１１０（Ｓ１１０）において、表示制御部２１０は、受信を表示した電子メール（受信メール）を、表示済みメール（優先メール）Ｍとして管理するように、メール管理部２０６を制御する。
メール管理部２０６は、表示制御部２１０の制御に従って、受信を表示した電子メール（受信メール）を、表示済みメールＭとして管理する。
【００３１】
ステップ１１２（Ｓ１１２）において、表示制御部２１０は、新たな電子メール（受信メール）を、非優先メールＤとして管理するように、メール管理部２０６を制御する。
メール管理部２０６は、表示制御部２１０の制御に従って、新たな受信メールを、非優先メールＤとして管理する。
ステップ１１４（Ｓ１１４）において、表示制御部２１０は、制御変数Ｎに、非優先メールＤの総数を代入する（Ｎ＜−非優先メールＤ数）。
【００３２】
図７は、メールプログラム２（図３）による受信メールの開封処理（Ｓ１２）を示すフローチャートである。
図７に示すように、ステップ１２０（Ｓ１２０）において、開封処理部２１６は、受信表示ウインドウ３０内に表示された電子メール（表示済みメールＭまたは非優先メールＤ）に対して、ユーザが、開封のための操作を行ったか否かを判断する。
メールプログラム２は、ユーザが、開封操作を行ったときにはＳ１２２の処理に進み、これ以外のときには処理を終了する。
【００３３】
ステップ１２２（Ｓ１２２）において、開封処理部２１６は、開封操作が行われた電子メールを開封し、図４に例示したように、その内容を、内容表示ウインドウ３２内に表示する。
また、表示制御部２１０は、図４に例示したように、開封された電子メールの表示を、開封済みの状態（細字の下線なしの文字による表示）に変更する。
ステップ１２４（Ｓ１２４）において、表示制御部２１０は、開封された電子メールが表示済みメール（優先メール）Ｍであるときには、開封したメールを、表示済みメール（優先メール）から除いて管理するように、メール管理部２０６を制御する。
メール管理部２０６は、表示制御部２１０の制御に従って、開封したメールを、表示済みメール（優先メール）から除いて管理する。
【００３４】
図８は、メールプログラム２（図３）による第１の非優先メールＤの表示処理（Ｓ１４）を示すフローチャートである
図８に示すように、ステップ１４０（Ｓ１４０）において、表示制御部２１０は、制御変数ｉを初期化する（ゼロクリアする；ｉ＜−０）。
ステップ（Ｓ１４２）において、表示制御部２１０は、制御変数ｉが、制御変数Ｎ以上であるか否かを判断する。
メールプログラム２は、制御変数ｉが、制御変数Ｎ以上であるときには処理を終了し、これ以外のときにはＳ１４２の処理に進む。
【００３５】
ステップ１４４（Ｓ１４４）において、表示制御部２１０は、その時点で処理の対象とされていない非優先メールＤ（ｉ）を、メール管理部２０６を介して読み出す。
ステップ１４６（Ｓ１４６）において、表示制御部２１０は、条件ＤＢ２１２から条件を読み出す。
ステップ１４８（Ｓ１４８）において、表示制御部２１０は、最後に処理済みメール（優先メール）Ｍを受信してから、読み出した非優先メールＤ（ｉ）に対して設定された条件が示す遅延時間が経過したか否かを判断する。
メールプログラム２は、最後に優先メールＭを受信してから、読み出した非優先メールＤ（ｉ）に対して設定された条件が示す遅延時間が経過したときにはＳ１５０の処理に進み、これ以外のときにはＳ１５４の処理に進む。
【００３６】
ステップ１５０（Ｓ１５０）において、表示制御部２１０は、処理済みメール（優先メール）Ｍがあるか（Ｍ≠Φ）否かを判断する。
メールプログラム２は、処理済みメール（優先メール）ＭがあるときにはＳ１５２の処理に進み、これ以外のときにはＳ１５４の処理に進む。
【００３７】
ステップ１５２（Ｓ１５２）において、表示制御部２１０は、非優先メールＤ（ｉ）を、受信表示ウインドウ３０内に表示する。
ステップ１５４（Ｓ１５４）において、表示制御部２１０は、制御変数ｉを１増加させる（インクリメント；ｉ＜−ｉ＋１）。
【００３８】
図９は、図３に示したメールプログラム２による非優先メールの表示の第２の態様を例示する図である。
以上の処理により、図９に示すように、メールプログラム２は、最後に表示済みメール（優先メール）を受信してから、遅延時間が経過し、かつ、全ての表示済みメール（優先メール）Ｍが開封された後に、非優先メールＤ（ｉ）を、１つずつ、順次、受信表示ウインドウ３０内に表示する。
【００３９】
なお、図８，図９に示した処理は、図１０，図１１に示す処理に置換されうる。
図１０は、メールプログラム２（図３）による第２の非優先メールＤの表示処理（Ｓ１６）を示すフローチャートである。
図１０に示すように、ステップ１６０（Ｓ１６０）において、表示制御部２１０は、最後に表示済みメール（優先メール）Ｍを受信してから、遅延時間が経過したか否かを判断する。
メールプログラム２は、最後に表示済みメール（優先メール）Ｍを受信してから、遅延時間が経過したときにはＳ１６２の処理に進み、これ以外のときには処理を終了する。
【００４０】
ステップ１６２（Ｓ１６２）において、表示制御部２１０は、表示済みメール（優先メール）Ｍがあるか否かを判断する。
メールプログラム２は、表示済みメール（優先メール）ＭがあるときにはＳ１６４の処理に進み、これ以外のときには処理を終了する。
ステップ１６４（Ｓ１６４）において、表示制御部２１０は、全ての非優先メールＤを、未開封の状態で表示する（下線を付した太字による表示）。
【００４１】
図１１は、図３に示したメールプログラム２による非優先メールの表示の第３の態様を例示する図である。
以上の処理により、図１１に示すように、メールプログラム２は、最後に表示済みメール（優先メール）を受信してから、遅延時間が経過し、かつ、全ての表示済みメール（優先メール）Ｍが開封された後に、全ての非優先メールＤを、一斉に受信表示ウインドウ３０内に表示する。
【産業上の利用可能性】
【００４２】
本発明は、電子メールなどの情報の受信およびその表示のために利用可能である。
【図面の簡単な説明】
【００４３】
【図１】本発明にかかる情報受信方法が適応されるネットワークシステムの構成を例示する図である。
【図２】図１に示したＰＣおよびメールサーバのハードウェア構成を例示する図である。
【図３】図１，図２に示したＰＣにおいて実行され、本発明にかかる情報受信方法を実現するメールプログラムの構成を示す図である。
【図４】図３に示したメールプログラムが、表示・入力装置（図２）に電子メールを表示する態様を例示する第１の図である。
【図５】図３に示した条件設定部が、表示・入力装置（図２）に表示する条件設定画像を例示する図である。
【図６】メールプログラム（図３）によるメール受信処理（Ｓ１０）を示すフローチャートである。
【図７】メールプログラム（図３）による受信メールの開封処理（Ｓ１２）を示すフローチャートである。
【図８】メールプログラム（図３）による第１の非優先メールＤの表示処理（Ｓ１４）を示すフローチャートである
【図９】図３に示したメールプログラムによる非優先メールの表示の第２の態様を例示する図である。
【図１０】メールプログラム（図３）による第２の非優先メールＤの表示処理（Ｓ１６）を示すフローチャートである。
【図１１】図３に示したメールプログラムによる非優先メールの表示の第３の態様を例示する図である。
【符号の説明】
【００４４】
１・・・ネットワークシステム、
１００・・・ＰＣ、
１２０・・・本体、
１２２・・・ＣＰＵ、
１２４・・・メモリ、
１２６・・・表示・入力装置、
１３０・・・通信装置、
１３２・・・記録装置、
１３４・・・記録媒体１３４、
２・・・メールプログラム、
２００・・・ＵＩ部、
２０２・・・メール作成部、
２０４・・・メール送受信部、
２０６・・・メール管理部、
２０８・・・メールＤＢ、
２１０・・・表示制御部、
２１２・・・条件ＤＢ、
２１４・・・条件設定部、
２１６・・・開封処理部、
１０２・・・メールサーバ、
１０４・・・ＬＡＮシステム、
１０６・・・ＬＡＮ１０６、
【図１】
2005228193.tif 000003
【図２】
2005228193.tif 000004
【図３】
2005228193.tif 000005
【図４】
2005228193.tif 000006
【図５】
2005228193.tif 000007
【図６】
2005228193.tif 000008
【図７】
2005228193.tif 000009
【図８】
2005228193.tif 000010
【図９】
2005228193.tif 000011
【図１０】
2005228193.tif 000012
【図１１】
2005228193.tif 000013